(57)【要約】【課題】  印刷等の出力がされる領域を表示パネルを用いてユーザが思う通りに設定することができる画像形成装置を提供すること。【解決手段】本発明の画像形成装置は、表示パネルに原稿を表示して、表示された原稿のユーザにて指示された位置に基づいて印刷等の出力の対象となる出力領域を算出する。【選択図】  図２
2005197851.tif 000002
【特許請求の範囲】
【請求項１】
ユーザに指示された原稿の一部領域を出力する画像形成装置において、
表示パネルに表示された原稿上でユーザが指示した位置を検知する位置検知手段と、
検知された位置に基づいて、原稿の出力領域を算出する出力領域算出手段を備えることを特徴とする画像形成装置。
【請求項２】
上記出力領域算出手段は、上記位置検知手段に検知された位置を上記出力領域の中心とする請求項１に記載の画像形成装置。
【請求項３】
上記出力領域算出手段は、原稿を印刷する印刷用紙の大きさ、及び原稿の出力倍率の少なくとも１つに基づいて、上記出力領域の大きさを算出する請求項１に記載の画像形成装置。
【請求項４】
上記出力領域算出手段は、ユーザの指示により上記出力領域の向きを決定する請求項１に記載の画像形成装置。
【発明の詳細な説明】
【技術分野】
【０００１】
本発明は、ファクシミリ、複合機、複写機等の画像形成装置に関する。
【背景技術】
【０００２】
画像形成装置に備えられた表示パネルは、近年カラー化及び高解像度化が進み、現在表示パネルはさまざまな用途で用いられている。この用途の１つとして、例えば、原稿と原稿の印刷される領域を囲った枠を表示して、原稿の印刷される領域の把握についてユーザを補助することが挙げられる。特開平８−３０１５１号公報に記載のように、枠は、印刷倍率や、印刷用紙の大きさに基づいて変化するようになっている。従って、ユーザは、印刷したい部分が枠に含まれるように、画像形成装置に入力する倍率や印刷用紙の大きさを決定する。
【特許文献１】特開平８−３０１５１号公報
【発明の開示】
【発明が解決しようとする課題】
【０００３】
ところが、特開平８−３０１５１の技術では、上記枠は原稿の四隅の１つを基点として印刷倍率や印刷用紙の大きさに応じて大きくなったり小さくなったりする。このため、印刷したい部分が原稿の四隅でなく中央部分であっても、枠には必ず原稿の四隅のうち１つが含まれてしまう。また、四隅の１つが印刷されるので、印刷したい部分を中央に大きく印刷することができない。
【０００４】
本発明は、印刷等の出力がされる領域を表示パネルを用いてユーザが思う通りに設定することができる画像形成装置を提供することを目的とする。
【課題を解決するための手段】
【０００５】
本発明の画像形成装置は、表示パネルに原稿を表示して、表示された原稿のユーザにて指示された位置に基づいて出力領域を算出する。例えば、画像形成装置は、表示された原稿のユーザにて指示された位置が含まれるように、指示された位置が中心となるような上記出力領域を算出する。
【０００６】
画像形成装置は、原稿の上記出力領域となった領域を印刷したり、ファクシミリで送信したりする。
【発明の効果】
【０００７】
従って、本発明によれば、従来のように、原稿の四隅の１つが基点となって出力領域が設定されず、指定した位置に基づいて出力領域が算出されるので、ユーザは、思う通りに出力領域を設定することができる。
【発明を実施するための最良の形態】
【０００８】
（実施の形態１）
図１は本実施形態の画像形成装置１００に備えられた画像読取部２００の外観図である。画像読取部２００は、図１に示すように、原稿読取台１０の下方に、原稿読取台１０を照射する光源１１と、光源１１から発せられた光を原稿読取台１０に導く反射板２１と、原稿台１０を照射した光をＣＣＤ１６に導く第１のミラー１２、第２のミラー１３、第３のミラー１４と、光源１１、ミラー１２、１３、１４を支持し、副走査方向に移動できるキャリッジ１７を備える。画像読取部２００は、複数枚の原稿を１枚づつ原稿読取台１０に搬送する自動原稿搬送装置ＤＦを備え、原稿読取台１０に載置された原稿Ｍだけでなく、自動原稿搬送装置ＤＦが搬送する原稿Ｍも読み取ることができる。原稿読取台１０に載置された原稿Ｍを走査する場合、画像読取部１００は、光源１１を発光させたまま、キャリッジ１７を副走査方向に移動させて原稿Ｍ全体を走査する。自動原稿搬送装置ＤＦが搬送する原稿Ｍを走査する場合、画像読取部２００は、キャリッジ１７を読取位置Ｐで静止させて、自動原稿搬送装置ＤＦの原稿台１８から排紙トレイ１９へと自動原稿搬送装置ＤＦに原稿Ｍを搬送させて、原稿Ｍが読取位置Ｐを通過する際に走査する。
【０００９】
原稿Ｍを走査する際に、光源１１から発せられた光は、反射板２１によって原稿Ｍに導かれて原稿Ｍを照射し、ミラー１２、１３、１４に導かれて集光レンズ１５を通ってＣＣＤ１６に受光される。受光された光は、ＣＣＤ１６にて画像データに変換される。ＣＣＤ１６が変換した画像データは、図２に示す表示手段１０１と印刷手段１０２に入力される。上記表示手段１０１は、画像データが入力されると、図３に示すように、入力された画像データとデフォルトの枠３１１を画像形成装置１００に備えられた表示パネル１０３の画像データ表示部３０１に表示する（図４、Ｓ４０１）。枠３１１が囲こむ領域は、上記印刷手段１０２にて印刷される出力領域となる。
【００１０】
図３に示すように、表示パネル１０３は画像表示部３０１だけでなく、印刷条件が表示される印刷条件表示部３０２がある。上記印刷条件表示部３０２は、印刷倍率３２１、印刷用紙の大きさ３２２、角度３２３、印刷モード３２４が表示される。印刷倍率３２１、角度３２３は、それぞれが表示されているところの横にあるカーソルキー３２１ａ、３２１ｂ、３２３ａ、３２３ｂを押下することで、１％又は１°づつ変わるようになっている。
【００１１】
カーソルキー３２１ａ、３２１ｂ、３２３ａ、３２３ｂが押下された旨は、上記出力領域算出手段１０５に通知される。上記出力領域算出手段１０５は、通知されたカーソルキーに基づいて出力領域の算出をし直す。例えば、印刷倍率３２１を大きくするカーソルキーが押下された場合、枠３１１の中心３１０を基点として出力領域を小さくし、印刷倍率を小さくするカーソルキーが押下された場合、中心３１０を基点として出力領域を大きくする。角度３２３を変えるカーソルキーが押下された場合、上記出力領域算出手段１０５は、中心３１０を中心に出力領域を回転させて出力領域の向きを変更する。
【００１２】
また、印刷用紙の大きさ３２２は、印刷用紙の大きさ３２２が表示されているところの横にあるカーソルキー３２２ａ、３２２ｂを押下することでＡ３、Ｂ４、Ａ４、Ｂ５、Ａ５に切り替わるようになっている。印刷用紙３２２のサイズを切り替えるカーソルキー３２２ａ、３２２ｂが押下されると、上記出力領域算出手段１０５は、カーソルキーの押下により切り替えられた印刷用紙の大きさ３２２に対応する大きさとなるように中心３１０を中心として大きくしたり小さくしたりして出力領域を算出し直す。
【００１３】
出力領域の大きさを変更したり、出力領域の向きを変更したりすると、上記出力領域算出手段１０５は、変更後の出力領域を上記表示手段１０３に通知する。上記表示手段１０１は、通知された出力領域を囲む枠３１１を上記画像データ表示部３０１に表示する。
【００１４】
以上のよう枠３１１の大きさは、ユーザが所望する印刷倍率、印刷用紙の大きさによって変化し、また、ユーザが設定した角度によって向きが変わる。
【００１５】
また、ユーザが画像データ表示部３０１のある位置をタッチすると、タッチした位置が上記位置検知手段１０４にて検知される。上記位置検知手段１０４は、ユーザがタッチした位置を上記出力領域算出手段１０５に通知する。
【００１６】
ユーザがタッチした位置が通知されると、上記出力領域算出手段１０５は、通知された位置と上記表示手段１０１から入力された画像データに基づいて、ユーザがタッチした位置に表示されていた画像データの部分を求める。上記出力領域算出手段１０５は、求めた部分を中心３１０とした出力領域を算出する。上記出力領域算出手段１０５は、算出した出力領域を上記表示手段１０１に通知する。上記表示手段１０１は、通知された出力領域を囲む枠３１１を上記画像データ表示部３０１に表示する。
【００１７】
以上のようにユーザは、枠３１１の大きさや向きだけでなく、枠３１１が表示される位置も思う通りに決定することができる。よって、従来のように印刷したくない原稿の四隅を出力領域から排除することができる。
【００１８】
図４は出力領域が決定される手順を示すフローチャートである。まず、ステップＳ４０１にて図３に示されるように画像データ、枠３１１、中心３１０等が表示パネル１０３に表示される。ユーザは表示パネル１０３を見て、枠３１１に印刷したい部分が囲まれているかどうかを判断する。印刷したい部分が枠３１１に囲まれていない場合、ユーザは、例えば、印刷したい部分の中心をタッチする。位置検知手段１０４はタッチされたことを検知する（図４、Ｓ４０２）と、タッチした位置に基づいて上記のように出力領域が算出されて、算出された出力領域を囲む枠３１１が画像データ表示部３０１に表示される（図４、Ｓ４０１）。また、印刷したい部分が枠３１１に囲まれていない場合、印刷したい部分の中心をタッチすることに代えて、上記のカーソルキー３２３ａ、３２３ｂを用いて枠３１１の角度を変えてもよい。
【００１９】
印刷したい部分の全体や一部が枠３１１に囲まれた領域に含まれているが、印刷した部分に対して枠３１１が大きすぎたり、小さすぎたりする場合、ユーザは、印刷倍率や印刷用紙のサイズを上記のカーソルキー３２１ａ、３２１ｂ、３２２ａ、３２３ｂを用いて枠３１１を大きくしたり、小さくすることができる。カーソルキー３２１ａ、３２１ｂ、３２３ａ、３２３ｂが押下された旨は、その都度、出力領域算出手段１０５に通知される（図４、Ｓ４０３）。通知された内容に基づいて上記のように出力領域が算出されて、算出された出力領域を囲む枠３１１が画像データ表示部３０１に表示される（図４、Ｓ４０１）。
【００２０】
印刷した部分が枠３１１で囲まれ、印刷したい部分に対する大きさが適度な枠３１１が画像データ表示部３０１に表示され、ユーザが表示パネル１０３に表示された印刷ボタン３０３を押下すると（図４、Ｓ４０４）、出力領域算出手段１０５は、算出した出力領域を上記印刷手段１０２に入力する。なお、ユーザが画像データ表示部３０１にタッチせず、デフォルトの枠３１１が表示された状態で印刷ボタン３０３が押下された場合は、上記出力領域算出手段１０５は、デフォルトの枠３１１に対応する出力領域を算出して上記印刷手段１０２に入力する。
【００２１】
上記印刷手段１０２は、出力領域が入力されると、入力された出力領域に基づいて、上記ＣＣＤ１６から入力された画像データを切り出す。上記印刷手段１０２は、切り出した画像データを印刷する。
【００２２】
以上のように、出力領域を囲む枠３１１の位置、大きさ、角度をユーザの思う通りに変えることができるので、ユーザの思う通りの印刷ができる。
（実施の形態２）
枠３１１の位置や大きさ、向きをユーザの思う通りに表示することができるので、画像データ表示部３０１の端をタッチしたり、枠３１１が画像データ表示部３０１に表示できないくらいの大きさにしたりすると、枠３１１全体が画像データ表示部３０１に表示されないことが発生する。
【００２３】
この場合、出力領域のうち、画像データ表示部３０１に表示されない部分を上記印刷手段１０２は、白画像として印刷しても良い。
（実施の形態３）
実施の形態２のように、画像データ表示部３０１に表示されない出力領域を白画像として印刷されないようにするために、枠３１１が画像データからはみ出ないようにしてもよい。
【００２４】
例えば、上記出力領域算出手段１０５は、出力領域を算出すると、算出した出力領域が画像データからはみ出るのかどうかを判断する。
【００２５】
はみ出ると判断した場合、上記出力領域算出手段１０５は、出力領域を画像データからはみ出ない位置に変更する。変更後の出力領域は、変更前の出力領域からの距離が近い領域であることが好ましい。出力領域を変更した場合、上記出力領域算出手段１０５は、変
更後の出力領域を上記表示手段１０３に通知する。
【００２６】
上記では出力領域に含まれるデータが印刷される場合について説明したが、出力領域に含まれるデータがファクシミリ通信で送信されてもよい。
【図面の簡単な説明】
【００２７】
【図１】本発明の画像形成装置に備えられた画像読取部の外観図である。
【図２】本発明の画像形成装置のブロック図である。
【図３】表示パネルの一例である。
【図４】出力領域が決定される手順を示すフローチャートである。
【符号の説明】
【００２８】
１００  画像形成装置
１０２  印刷手段
１０３  表示パネル
１０４  位置検知手段
１０５  位置算出手段
【図１】
2005197851.tif 000003
【図２】
2005197851.tif 000004
【図３】
2005197851.tif 000005
【図４】
2005197851.tif 000006